(57)【要約】【課題】二次電池を有した需要家が増加した場合であっても需要家接続系統の電圧を適切な電圧に調整できる需要家接続系統の系統電圧調整装置を提供することである。【解決手段】制御装置１５は、インバータ１４を介して、需要家の二次電池１２からの直流電力を交流電力に変換して電力系統に供給するとともに電力系統の交流電力を直流電力に変換して二次電池１２に充電し、また、電力の予想需要に応じて電力供給会社１８が予め定めた需要家の接続系統の電圧パターンを電力供給会社１８から電圧パターン受信装置１６で受信し、インバータ１４の出力電圧が電圧パターン受信装置１６で受信した電圧パターンとなるようにインバータ１４の出力電圧を制御する。【選択図】  図１
2012016119.tif 000002
【特許請求の範囲】
【請求項１】
需要家の二次電池からの直流電力を交流電力に変換して電力系統に供給するとともに電力系統の交流電力を直流電力に変換して二次電池に充電するインバータと、
電力の予想需要に応じて電力供給会社が予め定めた前記需要家の接続系統の電圧パターンを前記電力供給会社から受信する電圧パターン受信装置と、
前記インバータの出力電圧が前記電圧パターン受信装置で受信した電圧パターンとなるように前記インバータの出力電圧を制御する制御装置とを備えたことを特徴とする需要家接続系統の系統電圧調整装置。
【請求項２】
前記電圧パターン受信装置は公衆通信回線に接続され、前記電力供給会社から前記公衆通信回線を介して前記電圧パターンを受信することを特徴とする請求項１記載の需要家接続系統の系統電圧調整装置。
【発明の詳細な説明】
【技術分野】
【０００１】
本発明は、需要家に供給する電力系統の電圧を調整する需要家接続系統の系統電圧調整装置に関する。
【背景技術】
【０００２】
一般に、二次電池を有した需要家では、電力系統に余剰電力があるときは電力系統から電力の供給を受けて二次電池に充電し、電力系統の有効電力が不足したときには二次電池から電力系統に有効電力を供給するようにしている。そして、需要家が接続された電力系統の電圧が変動した場合には、電力供給会社側で需要家の接続系統の電圧をリアルタイムで調整するようにしている。
【０００３】
ここで、電力貯蔵装置や発電設備等を備えた電源装置において、交流電源の電圧の上下変動に応じて充放電を行なう蓄電手段を備え、交流電源の電圧が設定電圧より高い場合には蓄電手段へ過剰電力を充電し、系統の電圧上昇を抑制すると同時に過剰電力の再利用や発電設備による発電電力を有効利用するようにしたものがある（例えば、特許文献１参照）。
【０００４】
また、出力電圧を制御して予め設定した基準電圧に降圧することにより消費電力を低減して節電を行う節電装置において、基準電圧は、時間、日、曜日、月等毎に予め設定して適宜調整し、節電装置から負荷までの電力線の電圧降下の増減に合わせて節電装置の基準電圧を自動で変更することができ、手間がかからずに大きな節電効果が得られるようにしたものがある（例えば、特許文献２参照）
【先行技術文献】
【特許文献】
【０００５】
【特許文献１】特開２００６−６０９８３号公報
【特許文献２】特開２００１−３１４０３３号公報
【発明の概要】
【発明が解決しようとする課題】
【０００６】
しかし、特許文献１のものは、需要家において個別に電力系統の系統電圧を制御するものであり、すべての需要家がこのような電力系統の系統電圧を制御する機能を有しているわけではないので、必ずしも需要家の接続系統の系統電圧を所定電圧に調整できるわけではなく、電力系統側で需要家の接続系統の系統電圧を調整しなければならない。電力系統に接続される二次電池を有した需要家が増加した場合には、電力系統側で需要家の接続系統の系統電圧を調整する負担が増大する。一方、特許文献２のものは、需要家において負荷に供給する電圧を調整するものであり、電力系統の電圧を調整するものではない。
【０００７】
本発明の目的は、二次電池を有した需要家が増加した場合であっても需要家接続系統の電圧を適切な電圧に調整できる需要家接続系統の系統電圧調整装置を提供することである。
【課題を解決するための手段】
【０００８】
請求項１の発明に係る需要家接続系統の系統電圧調整装置は、需要家の二次電池からの直流電力を交流電力に変換して電力系統に供給するとともに電力系統の交流電力を直流電力に変換して二次電池に充電するインバータと、電力の予想需要に応じて電力供給会社が予め定めた前記需要家の接続系統の電圧パターンを前記電力供給会社から受信する電圧パターン受信装置と、前記インバータの出力電圧が前記電圧パターン受信装置で受信した電圧パターンとなるように前記インバータの出力電圧を制御する制御装置とを備えたことを特徴とする需要家接続系統の系統電圧調整装置。
【０００９】
請求項２の発明に係る需要家接続系統の系統電圧調整装置は、請求項１の発明において、前記電圧パターン受信装置は公衆通信回線に接続され、前記電力供給会社から前記公衆通信回線を介して前記電圧パターンを受信することを特徴とする。
【発明の効果】
【００１０】
請求項１の発明によれば、電力の予想需要に応じて電力供給会社が予め定めた需要家の接続系統の電圧パターンとなるように需要家の二次電池の出力電圧を制御するので、二次電池を有した需要家が増加した場合であっても需要家接続系統の電圧を電力供給会社が予め定めた電圧パターンに調整できる。
【００１１】
請求項２の発明によれば、二次電池を備えた需要家は、電力供給会社から公衆通信回線を介して電圧パターンを受信するので、各々の需要家への電圧パターンの配信が容易に行える。
【図面の簡単な説明】
【００１２】
【図１】本発明の実施の形態に係る需要家接続系統の系統電圧調整装置の構成図。
【図２】本発明の実施の形態に係る需要家接続系統の系統電圧調整装置に電力供給会社から受信される需要家接続系統の電圧パターンの一例を示す特性図。
【発明を実施するための形態】
【００１３】
以下、本発明の実施の形態を説明する。図１は本発明の実施の形態に係る需要家接続系統の系統電圧調整装置の構成図である。電力系統の需要家接続系統１１には複数の需要家が接続され、二次電池１２を有した需要家には、系統電圧調整装置１３がそれぞれ設置される。
【００１４】
電力系統の需要家接続系統１１は変電所の変圧器二次側に接続され、電力の予想需要に応じて電力供給会社が予め定めた電圧となるように電圧調整している。そして、需要家接続系統１１の電圧がその予め定めた電圧より変動した場合には、電力供給会社側で需要家接続系統１１の電圧をリアルタイムで調整するようにしている。例えば、負荷時タップ切替変圧器のタップを切り替えて電圧調整している。重負荷時には電圧を高めに調整し、軽負荷時には電圧を低めに調整している。
【００１５】
系統電圧調整装置１３は、二次電池１２を有した需要家が電力系統の需要家接続系統１１の電圧を電力供給会社が予め定めた電圧となるように調整するものである。系統電圧調整装置１３は、充放電を行う二次電池１２と、二次電池１２及び需要家接続系統１１との間で交直変換を行うインバータ１４と、インバータ１４の出力電圧を制御する制御装置１５と、電力の予想需要に応じて電力供給会社が予め定めた需要家接続系統１１の電圧パターンを受信する電圧パターン受信装置１６とから構成される。
【００１６】
電圧パターン受信装置１６は、通信回線１７を介して電力供給会社１８に接続され、電力供給会社１８から通信回線１７を介して、電力供給会社１８が予め定めた需要家接続系統１１の電圧パターンを受信し制御装置１５に出力する。通信回線１７は専用の通信網を使用してもよいし、公衆の通信網であるインターネットを使用してもよい。
【００１７】
図２は電力供給会社から受信される需要家接続系統１１の電圧パターンの一例を示す特性図である。需要家接続系統１１の電圧パターンは、需要家接続系統１１に接続される需要家の電力予想需要に基づいて予め複数の電圧パターンが需要家接続系統１１毎に定められる。図２では、日にち毎に異なった３つの電圧パターンＡ、Ｂ、Ｃを示している。
【００１８】
例えば、平日と休日とでは電力需要が異なるので、平日の電圧パターンと休日の電圧パターンとで異なった電圧パターンを用意しておく。また、当日の気象条件、例えば、気温が低い場合と高い場合とでは冷暖房器具の使用状況が異なっているので、気象条件を考慮した電圧パターンも用意しておく。そして、電力供給会社１８は、予想需要に基づいて予め用意した電圧パターンのうち最も適切な電圧パターンを選択して通信回線１７を介して二次電池１２を有した需要家に配信する。制御装置１５は、電圧パターン受信装置１６で受信した電圧パターンを入力すると、インバータ１４の出力電圧が電圧パターン受信装置１６で受信した電圧パターンとなるようにインバータ１４の出力電圧を制御する。
【００１９】
このように、二次電池１２を有した需要家においても、需要家接続系統１１の電圧が電力供給会社１８が予め定めた電圧となるように制御するので、需要家接続系統１１の電圧が予め定めた電圧より変動することが少なくなり、電力供給会社が需要家接続系統１１の電圧をリアルタイムで調整することが軽減される。
【符号の説明】
【００２０】
１１…需要家接続系統、１２…二次電池、１３…系統電圧調整装置、１４…インバータ、１５…制御装置、１６…電圧パターン受信装置、１７…通信回線、１８…電力供給会社
【図１】
2012016119.tif 000003
【図２】
2012016119.tif 000004